(57)【要約】【課題】自動開閉傘において使用者の意図に反した開閉を防止する。【解決手段】傘の軸となる伸縮式中棒２の下端部には、使用者が把持する握柄３が設けられている。握柄３には、傘の開閉を操作する操作ボタン１１が設けられている。握柄３には、操作ボタン１１を挟むようにしてその両側に２本のガイド溝１３−１、１３−２が形成されており、ガイド溝１３−１、１３−２の間には、ボタンカバー１２が装着されている。ボタンカバー１２は、ガイド溝１３−１、１３−２に沿って握柄３の上下方向にスライド可能である。ボタンカバー１２を下方にスライドさせると、操作ボタン１１が露出した操作可能状態となる。また、ボタンカバー１２を上方にスライドさせると、操作ボタン１１がボタンカバー１２に覆われた操作不可能状態となる。【選択図】図１
0003129964.tif 000002
【実用新案登録請求の範囲】
【請求項１】
握柄に設けられた操作ボタンと、該操作ボタンの操作に応じて自動的に傘骨を開閉動作させる自動開閉機構とを備えた自動開閉傘であって、
該握柄に該操作ボタンを開閉自在に覆うボタンカバーを設けたことを特徴とする自動開閉傘。
【請求項２】
前記ボタンカバーが前記握柄に摺動自在に設けられており、前記操作ボタンが露出した操作可能状態と、該ボタンカバーが該操作ボタンを覆う操作不可能状態とに切替可能であることを特徴とする請求項１記載の自動開閉傘。
【考案の詳細な説明】
【技術分野】
【０００１】
本考案はボタンの操作によって傘骨を自動的に開閉作動させ得る自動開閉傘に関する。
【背景技術】
【０００２】
従来、スプリングなどの付勢手段を利用して、自動的に開くように構成された傘は、「ジャンプ傘」や「ワンタッチ傘」と一般に称されて広く普及している。また、近年にあっては、自動的に開くだけではなく、同様にスプリングなどの付勢手段を利用して自動的に閉じるように構成された自動開閉傘も広く普及している。
【０００３】
このような自動開閉傘には、その開閉作動を行わせるための操作ボタンが設けられている。この操作ボタンは、使用者が傘を持った状態でも操作できるように、使用者が把持する握柄部分やその近傍設けられているが、使用者が指で簡易に押し込み操作できるように、握柄の表面に露出されて設けられていたり、若しくは握柄から突出されて設けられているのが一般的である（例えば、特許文献１参照）。
【特許文献１】特願平７−２６２８３号公報
【考案の開示】
【考案が解決しようとする課題】
【０００４】
しかしながら、この様に操作ボタンが露出若しくは突出していると、使用者の意図に反して、誤って操作ボタンが押し込まれてしまうことがあり、こうした際に傘が不意に開閉作動してしまうという問題があった。
【０００５】
本考案は、上記事情に鑑みてなされたものであり、その目的は、使用者の意図に反した開閉を防止し得る自動開閉傘を提供することにある。
【課題を解決するための手段】
【０００６】
上記課題を解決するために、本考案に係る自動開閉傘にあっては、握柄に設けられた操作ボタンと、該操作ボタンの操作に応じて自動的に傘骨を開閉動作させる自動開閉機構とを備えた自動開閉傘において、該握柄に該操作ボタンを開閉自在に覆うボタンカバーを設けたことを特徴とする。
【０００７】
ここで、前記ボタンカバーは、前記握柄に摺動自在に設けられ、前記操作ボタンが露出した操作可能状態と、該ボタンカバーが該操作ボタンを覆う操作不可能状態とに切替可能である構成となし得る。
【考案の効果】
【０００８】
本考案によれば、自動開閉傘において使用者の意図に反した不意の開閉を防止することができる。
【考案を実施するための最良の形態】
【０００９】
以下、本考案に係る自動開閉傘の最良の実施形態について、添付図面を参照しながら説明する。
【００１０】
＝＝＝全体構成例＝＝＝
図１は、本考案に係る自動開閉傘１の一実施形態を開傘状態で示した概略側面図である。図示するように、自動開閉傘１は、傘の軸となる伸縮式中棒２と、使用者が把持する握柄３とを有している。伸縮式中棒１０は入れ子パイプによる３段伸縮式であって、握柄３は当該伸縮式中棒２の下端部に設けられている。また、伸縮式中棒２の上端部には上ろくろ４が設けられる一方、当該上ろくろ４の下方にはスライダ５と下ろくろ６とが伸縮式中棒２に外挿されて設けられており、当該スライダ５と下ろくろ６とは、連結されたままの状態で伸縮式中棒２に沿って摺動するようになっている。
【００１１】
上ろくろ４には、傘生地９を張るための複数の親骨８が放射状に保持されている。下ろくろ６には、各親骨８に１対１対応されて設けられた受骨７が保持されている。受骨７の先端は、後述する元親骨８１の中央部に回動自在に枢支されて連結されており、親骨８と受骨７とによって傘骨が構成されている。
【００１２】
親骨８は、元親骨８１と中親骨８２と先親骨８３との３つの骨から構成されている。元親骨８１と中親骨８２、及び中親骨８２と先親骨８３とは、それぞれ回動自在に枢支ピンを介して連結されている。また、図示していないが、元親骨８１と中親骨８２とには、元親骨８１の開閉動作を中親骨８２に伝えて従動させるための四辺形リンク機構が組み付けられており、同様に中親骨８２と先親骨８３とには、中親骨８２の開閉動作を先親骨８３に伝えて従動させるための四辺形リンク機構が組み付けられている。また、元親骨８１の開閉動作を中親骨８２に伝えて従動させる四辺形リンク機構には、傘骨を折畳作動方向に付勢するスプリングが設けられている。一方、伸縮式中棒２の内部には当該伸縮式中棒２を短縮させた時に押し縮められて弾性力を蓄えるスプリングと、このスプリングを縮み状態に係止する係止手段とが組み込まれている。
【００１３】
そして、この係止手段は握柄３に設けられた操作ボタン１１によって、スプリングの弾性力を解放するようになっており、当該弾性力が解放されることでスプリングと共に伸縮式中棒２が伸長する。また、当該スプリングの伸長変位を下ロクロ６に伝える変位伝達手段も設けられている。この変位伝達手段は、スプリングの下部に係脱自在に設けられたスリーブと、このスリーブに一端が止着されるとともに当該伸縮中棒２の内外に沿って配設されて他端が下ロクロ６に止着されて設けられた紐とからなる。つまり、スプリングの伸長変位は紐を介して下ロクロ６に伝えられるようになっていて、伸縮中棒２が伸長されるとこれに伴って下ロクロ６が上方に牽引されて自動開閉傘１が開傘動作されるようになっている。
【００１４】
即ち、閉傘時に操作ボタン１１を押し込むと、伸縮中棒２が伸長すると共に下ろくろ６が伸縮式中棒２に沿って上方にスライドする。そして、下ろくろ６に連結された受骨７が元親骨８１を上方に押し上げ、元親骨８１と中親骨８２と先親骨８３とが放射状に広がる。これにより、傘骨とこれに張られた傘生地とが開いた開傘状態になる。なお、伸縮中棒２内に設けられるスプリングの付勢力（弾性力）は、前述した傘骨の四辺形リンクに組み込まれて傘骨を折畳作動させるスプリングの付勢力（弾性力）よりも大きく設定される。
【００１５】
一方、開傘時に操作ボタン１１を押し込むと、前記紐を係止したスリーブが伸縮中棒２内のスプリングから離脱されて紐に作用する張力が解放されるようになっている。このため、開傘時に操作ボタン１１が押し込まれると、下ろくろ６が伸縮式中棒２に沿って傘の下方にスライドして受骨７が下方に移動する。またこれと同時に、元親骨８１の開閉動作を中親骨８２に伝えて従動させるための四辺形リンク機構に組み込まれて、傘骨を折畳側に付勢している前記スプリングによって、傘骨が折畳方向に作動されるようになっている。
【００１６】
即ち、下ろくろ６の下方への移動に伴い元親骨８１は、上ろくろ４との連結部分を中心として伸縮式中棒２側に回動する。このとき、元親骨８１に連結された中親骨８２と先親骨８３も四辺形リンクによって伸縮式中棒２側に折り畳まれて従動される。これにより、傘生地９が閉じた閉傘状態になる。つまり、伸縮式中棒２内に組み込まれたスプリングと係止手段、及び変位伝達手段、並びに四辺形リンクに組み込まれたスプリングとによって傘の自動開閉機構が構成されている。
【００１７】
ところで、本考案にあっては、前記操作ボタン１１には、ボタンカバー１２が設けられている。図２はボタンカバー１２が開状態のときの正面図であり、図３はボタンカバー１２が閉状態のときの正面図、図４は図３のＢ−Ｂ断面図である。
【００１８】
図２〜図４に示すように、握柄３にはボタンカバー１２を装着する２本のガイド溝１３−１、１３−２が伸縮式中棒２の軸方向に沿って上下に延びて設けられている。これら２本のガイド溝１３−１、１３−２は操作ボタン１１を挟むようにして両側に配置されており、ボタンカバー１２は両ガイド溝１３−１、１３−２に両側部が摺動自在に係合されて装着される。即ち、ボタンカバー１２の両側部には、ガイド溝１３−１，１３−２の被係合部１４に嵌合する係合部１３が設けられていて、ボタンカバー１２は当該ガイド溝１３−１、１３−２に沿って上下にスライドする。
【００１９】
ボタンカバー１２を下方向にスライドさせると、図２に示すように、操作ボタン１１が露出し、操作ボタン１１の操作が可能な状態となる。一方、ボタンカバー１２を上方向にスライドさせると、図３に示すように、操作ボタン１１がボタンカバー１２に覆われ、操作ボタン１１は操作が不可能な状態となる。
【００２０】
操作可能状態では、操作ボタン１１が露出しており、操作ボタン１１を押し込んで、傘を開いたり、閉じたりすることができる。また、操作不可能状態では、操作ボタン１１がボタンカバー１２に覆われているため、使用者の手が操作ボタン１１に接触したり操作ボタン１１が何かに衝突するなどして押し込まれてしまうことを防止することができる。よって、ボタンカバー１２で操作ボタン１１を覆っておくことで、使用者の意図に反して自動開閉傘が不意に開閉作動してしまうことを防止することができる。また、ボタンカバー１２が握柄３に設けられているため、使用者は、自動開閉傘１をさしているときでも、親指だけを使ってボタンカバー１２をスライドさせることができる。
【００２１】
以上、上記実施の形態は本考案の理解を容易にするためのものであり、本考案を限定して解釈するためのものではない。本考案は、その趣旨を逸脱することなく、変更、改良され得ると共に、本考案にはその等価物も含まれる。
【００２２】
例えば、本実施の形態における自動開閉傘１は、親骨８が折り畳まれる折り畳み傘であったが、長傘の状態で自動的に開閉する自動開閉傘、所謂、ジャンプ傘も本考案に含まれる。また、本実施の形態で示した折り畳み部分の構造は、一つの例であり、これに限定されるわけではない。
【００２３】
さらに、ボタンカバーの構成も上述したものに限定されない。例えば、ボタンカバーのスライド方向は、上下方向でなくても、横方向や斜め方向でもよい。また、ボタンカバーをスライドさせるのではなく回動させるような構成にしてもよい。
【図面の簡単な説明】
【００２４】
【図１】自動開閉傘の構成を概略的に示す側面図である。
【図２】ボタンカバーが開状態のときの握柄の正面図である。
【図３】ボタンカバーが閉状態のときの握柄の正面図である。
【図４】図３のＢ−Ｂ線部矢視断面図である。
【符号の説明】
【００２５】
１    自動開閉傘
２    伸縮式中棒
３    握柄
４    上ろくろ
５    スライダ
６    下ろくろ
７    受骨
８    親骨
９    傘生地
１１  操作ボタン
１２  ボタンカバー
１３−１、１３−２  ガイド溝
【図１】
0003129964.tif 000003
【図２】
0003129964.tif 000004
【図３】
0003129964.tif 000005
【図４】
0003129964.tif 000006